(57)【要約】      （修正有）【課題】主として幼児が、心臓を含む内蔵の疾患で手術を行った後、胸骨が変形するのを防ぐ為に、胸を常時圧迫し、胸骨が再生する際に飛び出してくるのを防止する為の矯正器具を提供する。【解決手段】胴体に、板状の部材を撒き付け、その内側に、部分加圧具を装着する。この部分加圧具は、手術を行った部位に合わせて、装着位置を簡単に変更可能とし、また、空気圧やバネの付勢力を利用し、加圧力を簡単に調整できる様に構成する。【選択図】図１
0003165817.tif 000002
【実用新案登録請求の範囲】
【請求項１】
樹脂・アルミ合金・動物の革・合成皮革・木材・コルク・布・紙、または、これらのいずれかの組み合わせによって作られた板状の部材を、ベルトや帯によって人間の胴体に固定し、板状の部材によって、主として胸部を圧迫固定する胸骨矯正器具において、板状の部材の裏側、即ち、胸部に当たる側の面に、板状の部材の内側に収まる程度の大きさで、円形または方形で、厚さが最小１ｍｍで、厚さ方向に伸縮可能な部分加圧具を、着脱自在に取付けた胸骨矯正器具。
尚、板状の部材は、表面にスポンジやゴムや布などの軟質部材をクッションとして装置した構成や、通気性を高める為に、複数の貫通孔を設けた構成を含み、また、ベルトを使用せずに、板状の部材の本体を身体に巻きつけて両端部を引っ掛けて固定する構成も含む。
また、主として胸部を圧迫するが、腰部や背中部や腹部や肩部を圧迫する用途・構成も含み、部分加圧具は、加圧機能を有する装置本体を、布、又はゴム、又は軟質樹脂製の容器、又はカバーの中に入れて使用する構成も含む。
【請求項２】
部分加圧具を、板状の部材に着脱自在に取り付ける構成は、以下のいずれかの装置である事を特徴とする、請求項１に記載の胸骨矯正器具。
１，部分加圧具にボタンを取り付け、板状の部材にボタンホールを設けた。
２，ホック、又はクリップ、又はヘアピン、又は安全ピン、又はファスナーにより、取り付ける。
３，フック状の起毛とループ状の起毛を組み合せた、いわゆる面ファスナーを使用し、ループ状の柔らかい起毛側を板状の部材に取り付け、フック状の硬い起毛側を部分加圧具に取り付ける。
４，部分加圧具に紐を取り付け、板状の部材に設けた貫通孔を利用して縛り付ける。
５，板状の部材の胴体側表面に、布製、又は薄いフィルム状の樹脂材料、又は薄いゴム材料によって作られたポケットを複数設け、その中に部分加圧具を挿入可能とした。
【請求項３】
伸縮可能な部分加圧具は、エアバッグであり、下記のいずれかの構成により、装着者または介護者が、加圧力を自在に調整可能に装置した事を特徴とする、請求項１から２に記載の、胸骨矯正器具。尚、エアバッグとは、ゴム、又は軟質樹脂で成形された気密容器であり、内部に空気を注入する事により体積が大きくなる風船状の物体を指し、体積が膨張しない様に狭い空間に挿入した場合は、内部の加圧により、空間を広げようと付勢力が発生する様に構成された装置を指す。
また、注入する物は空気だけでは無く、窒素・二酸化炭素・水・ジェル状シリコン・オイルを注入して加圧する構成も含む。
１，バレーボールやドッジボールを、潰して薄くした様な構成とし、ボール用の空気注入針によって、ボール用の空気入れで加圧自在とした。
２，エアバッグに、自転車タイヤ用のバルブを取り付け、自転車用の空気入れによって、加圧自在とした。
３，エアバッグに、自動車タイヤ用のバルブを取り付け、自動車用の空気入れによって、加圧自在とした。
４，上記の１から３のいずれかの構成に、リリーフバルブを設け、非常時に、速やかに内部の圧力を下げられる様に構成した。尚、リリーフバルブは、所定の圧力を超えると自動的に開放して圧力を下げる構成の他、孔と埋め栓による構成、ねじ孔とオネジによる構成を含む。
【請求項４】
伸縮可能な部分加圧具は、皿バネ、又はコイルスプリング、又は板バネを内蔵し、その付勢力によって加圧する事を特徴とする、請求項１から２に記載の、胸骨矯正器具。尚、以下のいずれかの構成により、皿バネやコイルスプリング等を交換自在に装置した構成も含む。また、皿バネやコイルスプリングの上下、又は上下のどちらか一方に、板状のスペーサを挿入自在に構成することで、皿バネやコイルスプリングの初期セット荷重を調整する構成も含む。
１，部分加圧具の本体を挿入するカバー、又は容器の側面に、開閉自在のファスナー、又はボタンとボタンホールを設けた。
２，部分加圧具の本体を挿入するカバー、又は容器の内面に、皿バネやコイルスプリング等を着脱自在に保持するフックを設けた。
【考案の詳細な説明】
【技術分野】
【０００１】本考案は、主として幼児が、心臓を含む内蔵の疾患で手術を行った後、胸骨が変形するのを防ぐ為に、胸を常時圧迫し、胸骨が再生する際に飛び出してくるのを防止する為の矯正器具に関する。
【背景技術】
【０００２】既存の胸骨矯正器具は、コルセット状の装具を上半身に巻きつけて固定するだけであり、変形が予想される胸骨の一部分だけを集中して矯正する機能が無かった。また、胸骨などの飛び出しを防止する為に、身体を圧迫する圧力も、圧迫する位置も、調整・変更する事ができなかった。
その為、成長や治癒状況に合わせて、新しい矯正器具を購入しなければならず、患者の費用負担も大きかった。
【先行技術文献】
【特許文献】
【０００３】
【特許文献１】特開２０００−１４６８６
【特許文献２】特開２００１−１２９００８
【特許文献３】特表２００２−５１８０９２
【特許文献４】実開平７−１３３１１
【特許文献５】特開平２４８９８７
【特許文献６】特表昭６２−５０２９４５
【非特許文献】
【０００４】
【非特許文献１】なし
【考案の概要】
【考案が解決しようとする課題】
【０００５】内蔵の疾患により手術を行う場合、胸骨を切除したり、移動したりする場合がある。特に患者が乳児・幼児の場合は、術後、胸骨が再生する際に成長する為、元の形状に戻らず、前面に突出するなど、手術部が変形してしまう場合がある。
この不具合を防止する為、一般的な方法として、常時、コルセットを胴体に巻きつけ、胸骨等の変形を防止する方法が広く周知されており、前述の先行技術文献は、全て、この課題を解決する目的で考案された発明である。
しかし、前述の先行技術文献に記載された先行技術では、胴体にベルト状のコルセットを撒き付けるだけの、極めて単純な構成であるから、加圧力を簡単に変更する事ができなかった。
また、胸骨等が変形するのは、手術を行った限られた範囲だけにも関わらず、胸部全体を常時圧迫することになってしまい、実用上、不具合が多く、患者の負担が大きかった。
成長や治癒状況に応じて、新たな矯正器具を購入する必要が無いので、患者の費用負担も大幅に軽減される。
【課題を解決する為の手段】
【０００６】胴体に、板状の部材を撒き付け、その内側に、部分加圧具を装着する。この部分加圧具は、手術を行った部位に合わせて、装着位置を簡単に変更可能とし、また、加圧力を簡単に調整できる様に構成する。
【考案の効果】
【０００７】本考案によれば、胸骨等が突出しそうな位置を的確に捉え、必要な部分だけを加圧矯正する事ができる。また、既存の技術では、必要も無いのに、常に胸部全体を締め付ける必要が有り、患者に多大な窮屈感を与えていた。しかし本考案の技術によれば、板状のベルト本体は、部分加圧具の加圧反力を受けるだけで良いので、既存技術ほど強く締め付ける必要が無い為、患者の負担は軽減される。
さらに、突出部の治癒状況に応じて、部分加圧具の位置を移動したり、加圧力を調整できるので、的確で効率の良い治療に貢献できる。
【図面の簡単な説明】
【０００８】
【図１】本考案品の内側、即ち胴体側から見た正面図である。
【図２】エアバッグを利用した部分加圧具の、側面図を表す。
【図３】皿バネ、又はコイルスプリングを用いた部分加圧具の、側面図を表す。
【考案を実施するための形態】
【０００９】樹脂・アルミ合金・動物の革・合成皮革・木材・コルク・布・紙、または、これらのいずれかの組み合わせによって作られた板状の部材を、ベルトや帯によって人間の胴体に固定し、板状の部材の裏側、即ち、胸部に当たる側の面に、板状の部材の内側に収まる程度の大きさで、円形または方形で、厚さが最小１ｍｍで、厚さ方向に伸縮可能な部分加圧具を、着脱自在に取付ける。
部分加圧具の加圧方法は、エアバッグに気体や液体を注入する方法、又は、皿バネやコイルスプリングの付勢力を利用する。
【実施例】
【００１０】以下、図１〜図３を使用して、本考案の実施例を説明する。
図１は、本考案の胸骨矯正器具を、胴体に巻き付けて使用する際、身体側から見た図であり、次の様に構成されている。
樹脂・アルミ合金・動物の革・合成皮革・木材・コルク・布・紙、または、これらのいずれかの組み合わせによって作られた板状の部材を、ベルトや帯によって人間の胴体に固定し、板状の部材によって、主として胸部を圧迫固定し、板状の部材の裏側、即ち、胸部に当たる側の面に、板状の部材の内側に収まる程度の大きさで、円形または方形で、厚さが最小１ｍｍで、厚さ方向に伸縮可能な部分加圧具を、着脱自在に取付ける。
１は、板状の部材であり、２は、胴体に巻きつけて固定する為の、左右一対からなるベルトである。３は、通気性を確保する事と、軽量化を目的とした、多数の貫通孔を表す。
５は、厚さ方向に伸縮可能な部分加圧具であり、１の裏面に設けられた、面ファスナー４によって、治療に必要な所定の場所に、着脱自在に取り付ける事ができる。
尚、板状の部材は、表面にスポンジやゴムなどの軟質部材をクッションとして装置しても良く、部分加圧具は、加圧機能を有する装置本体を、布、又はゴム、又は軟質樹脂製の容器、又はカバーの中に入れて使用しても良い。
以上が、請求項１に記載された、本発明の実施例である。【００１１】図２は、本発明の部分加圧具であり、エアバッグを利用した実施例を示す。
エアバッグを利用して部分的に加圧する方法は、請求項３に記載の方法が有り、本体への取り付け方法は、請求項２に記載の方法が有る。図２は、その中で、ドッジボールを潰して薄くした形状６を、面ファスナー１０で、板状の部材１に取り付ける方法を示す。
尚、面ファスナー１０は、フック状の硬い起毛であり、面ファスナー４は、柔らかいループ上の起毛とする事で、使用者の身体に、硬い方の起毛が接触する事を防止している。
７は、空気注入孔であり、ドッジボールやバレーボールと同様、ゴムの弾性力を利用した気密装置で、専用の針を差し込み、空気を注入したり、抜いたりする事で、内部の圧力を調整できる。また、面ファスナー１０を、図１の４に装着する事で、自由な場所に部分加圧具を取り付けできる。以上が、請求項２及び３に記載の、本考案の実施例である。【００１２】図３は、本発明の部分加圧具であり、皿バネを利用した実施例を示す。
バネの付勢力を利用して部分的に加圧する方法は、請求項４に記載の方法が有り、本体への取り付け方法は、請求項２に記載の方法が有る。図３は、その中で、皿バネを利用した部分加圧具８であり、面ファスナー１０で、板状の部材１に取り付ける方法を示す。
８は、皿ばね１１を内蔵した容器であり、板状の部材１に取り付け後、矯正したい身体の部分に押し付ける事で、所定の圧力を得る。
加圧力を調整したい場合は、８の側面に設けられた、ファスナー９を開き、バネ定数の異なる皿バネに変更すれば良い。以上が、請求項２及び４に記載の、本考案の実施例である。
【符号の説明】
【００１３】１，本考案の本体である、板状の部材
２，ベルト
３，貫通孔
４，面ファスナー（ループ状の、柔らかい起毛）
５，必要な場所に移動可能な、部分加圧具（１に装着状態を示す）
６，エアバッグ式の、部分加圧具
７，空気注入孔
８，皿バネを内蔵した、部分加圧具
９，ファスナー（チャック）
１０，面ファスナー（フック状の、硬い起毛）
１１，内蔵された、皿バネ
【図１】
0003165817.tif 000003
【図２】
0003165817.tif 000004
【図３】
0003165817.tif 000005
【手続補正書】
【提出日】平成22年11月10日(2010.11.10)
【手続補正１】
【補正対象書類名】実用新案登録請求の範囲
【補正対象項目名】全文
【補正方法】変更
【補正の内容】
【実用新案登録請求の範囲】
【請求項１】
樹脂・アルミ合金・動物の革・合成皮革・木材・コルク・布・紙、または、これらのいずれかの組み合わせによって作られた板状の部材を、ベルトや帯によって人間の胴体に固定し、板状の部材によって、主として胸部を圧迫固定する胸骨矯正器具において、
（１）板状の部材の裏側、即ち、胸部に当たる側の面に、板状の部材の内側に収まる程度の大きさで、円形または方形で、厚さが最小１ｍｍで、厚さ方向に伸縮可能な部分加圧具を、着脱自在に取付け、
（２）板状の部材は、表面にスポンジやゴムや布をクッションとして装置し、
（３）通気性を高める為に、複数の貫通孔を設け、又は設けず、
（４）ベルトや帯で人間の胴体に固定し、又は、板状の本体を身体に巻きつけて両端部を引っ掛けて固定し、
（５）主として胸部を圧迫し、腰部や背中部や腹部や肩部も圧迫する用途とし、
部分加圧具は、加圧機能を有する装置本体を、布、又はゴム、又は軟質樹脂製の容器、又はカバーの中に入れた構成からなる、胸骨矯正器具。
【請求項２】
部分加圧具を、板状の部材に着脱自在に取り付ける装置において、
（１）部分加圧具にボタンを取り付け、板状の部材にボタンホールを設け、
（２）又は、ホック、又はクリップ、又はヘアピン、又は安全ピン、又はファスナーにより、取り付け、
（３）又は、フック状の起毛とループ状の起毛を組み合せた、いわゆる面ファスナーを使用し、ループ状の柔らかい起毛側を板状の部材に取り付け、フック状の硬い起毛側を部分加圧具に取り付け、
（４）又は、部分加圧具に紐を取り付け、板状の部材に設けた貫通孔を利用して縛り付け、又は、板状の部材の胴体側表面に、布製、又は薄いフィルム状の樹脂材料、又は薄いゴム材料によって作られたポケットを複数設け、その中に部分加圧具を挿入可能とした構成からなる、請求項１に記載の、胸骨矯正器具。
【請求項３】
伸縮可能な部分加圧具はエアバッグ、即ち、ゴム、又は軟質樹脂で成形された気密容器であり、内部に空気を注入する事により体積が大きくなる風船状の物体を指し、体積が膨張しない様に狭い空間に挿入した場合は、内部の加圧により、空間を広げようと付勢力が発生する様に構成され、加圧には空気、又は窒素、又は二酸化炭素、又は水、又はジェル状シリコン、又はオイルを注入し、
（１）バレーボールやドッジボールを、潰して薄くした様な構成とし、ボール用の空気注入針によって、ボール用の空気入れによって加圧自在とし、
（２）又は、エアバッグに、自転車タイヤ用のバルブを取り付け、自転車用の空気入れによって加圧自在とし、
（３）又は、エアバッグに、自動車タイヤ用のバルブを取り付け、自動車用の空気入れによって加圧自在とし、
エアバッグにはリリーフバルブを設け、非常時に内部の圧力を速やかに下げられる様に構成し、リリーフバルブは所定の圧力を超えると自動的に開放して圧力を下げ、又は、孔と埋め栓による構成、又は、ネジ孔とオネジによる構成により、非常時に、速やかに内部の圧力を下げられる様に構成した事を特徴とする、請求項１又は２に記載の、胸骨矯正器具。
【請求項４】
伸縮可能な部分加圧具は、皿バネ、又はコイルスプリング、又は板バネを内蔵し、その付勢力によって加圧する構成であり、皿バネやコイルスプリングや板バネを交換自在に構成し、又は、皿バネやコイルスプリングや板バネの上下、又は、上下のどちらか一方に、板状のスペーサを挿入自在に構成する事で、皿バネやコイルスプリングや板バネの初期セット荷重を調整する構成とし、部分加圧具の本体を挿入するカバー、又は容器の側面に、開閉自在のファスナー、又はボタンとボタンホールを設け、又は、部分加圧具の本体を挿入するカバー、又は容器の内面に、皿バネやコイルスプリング等を着脱自在に保持するフックを設けた事を特徴とする、請求項１又は２に記載の、胸骨矯正器具。